(57)【要約】      （修正有）【課題】カード載置部を設けることなくかざし面の平面性を保ち、このかざし面に対して記憶媒体のかざし位置がずれないようにかざし状態を維持して良好な非接触通信を可能にする。【解決手段】電子マネーを格納し、表面もしくは内部に磁性体１４が付与された記憶媒体１０と通信を行う決済端末２０であって、通信を行うにあたり、記憶媒体がかざされる平面状のかざし面を備え、かざし面には、記憶媒体と通信を行うのに必要な磁界とは別の磁界を発生する磁界発生部２７を備え、記憶媒体がかざし面にかざされると、別の磁界により磁性体を引きつけ、記憶媒体をかざし面に密着させ、固定する。【選択図】図１
2013077120.tif 000002
【特許請求の範囲】
【請求項１】
電子マネーを格納し、表面もしくは内部に磁性体が付与された記憶媒体と、この記憶媒体に格納された電子マネーを使用し、通信により決済を行う決済端末と、からなる電子マネー決済システムであって、
前記決済端末は、前記通信を行うにあたり前記記憶媒体がかざされる平面状のかざし面を備え、前記かざし面は、前記記憶媒体と前記通信を行うのに必要な磁界とは別の磁界を発する磁界発生部を有し、前記磁界発生部は、前記記憶媒体が前記かざし面にかざされると、前記別の磁界により前記磁性体を引きつけ、前記記憶媒体を前記かざし面に密着させることを特徴とする電子マネー決済システム。
【請求項２】
前記磁界発生部は、
電磁石で構成されることを特徴とする請求項１記載の電子マネー決済システム。
【請求項３】
前記磁界発生部は、
前記かざし面が前記接触記憶媒体を検出してから入金処理が完了するまでの間、前記別の磁界を発生することを特徴とする請求項２記載の電子マネー決済システム。
【請求項４】
前記磁界発生部は、
永久磁石で構成されることを特徴とする請求項１記載の電子マネー決済システム。
【請求項５】
前記磁性体は、
前記記憶媒体の表面に貼付可能なシート状の磁性材料で形成されることを特徴とする請求項１記載の電子マネー決済システム。
【請求項６】
電子マネーを格納し、表面もしくは内部に磁性体が付与された記憶媒体と通信を行う決済端末であって、
前記通信を行うにあたり、前記記憶媒体がかざされる平面状のかざし面を備え、前記かざし面には、前記非接触ＩＣカードと前記通信を行うのに必要な磁界とは別の磁界を発生する磁界発生部を備え、前記非接触ＩＣカードが前記かざし面にかざされると、前記別の磁界により前記磁性体を引きつけ、前記非接触ＩＣカードを前記かざし面に密着させることを特徴とする決済端末。
【請求項７】
前記磁界発生部は、
前記かざし面の略中央に位置するかざしマークの近傍に設けられることを特徴とする請求項６記載の決済端末。
【請求項８】
前記磁界発生部は、
前記かざし面の略中央に位置するかざしマークを中心に等距離にある周辺近傍に複数設けられることを特徴とする請求項６記載の決済端末。
【請求項９】
電子マネーを記憶し、前記記憶した電子マネーを使用して通信により決済端末との間で電子決済を行う記憶媒体であって、
表面もしくは内部に磁性体を有し、
前記通信を行うのに必要な磁界とは別の磁界を発生する磁界発生部を平面状のかざし面に備えた前記決済端末にかざされると、前記磁性体が前記別の磁界によって前記かざし面に密着することを特徴とする記憶媒体。
【発明の詳細な説明】
【技術分野】
【０００１】
本発明は、非接触ＩＣカード等の記憶媒体に格納された電子マネーを使用し、決済端末との間で通信によって電子決済を行う、電子マネー決済システムおよび決済端末ならびに記憶媒体に関する。
【背景技術】
【０００２】
非接触ＩＣカードや携帯端末に内蔵された非接触ＩＣチップ等の記憶媒体に記憶された電子マネーを使用した電子決済が普及し、最近では、これら記憶媒体に電子マネーを格納（チャージ）する、所謂、入金機能を備えた電子マネー決済システムが出現している。この電子マネー決済システムにおいて、例えば、非接触ＩＣカードへの入金処理中、非接触ＩＣカードが入金機から外れた場合に通信が途中で途切れ、非接触ＩＣカードに電子マネーが入金されない状態、あるいは、非接触ＩＣカードへの入金処理が完了しても入金機側で非接触ＩＣカードからの入金応答を受信できない状態（以下、これら状態を総称して入金処理未了状態という）が発生することがある。
【０００３】
この状態が発生した場合、従来の電子マネー決済システムでは、入金機側で利用者が投入した貨幣を収容し、利用者に貨幣を返却しないようにしている。したがって、入金できていない状態が発生した場合は、利用者が、カスタマーセンターあるいは最寄りのカウンタ等へ連絡を入れ、現金、あるいはクーポーンを返却してもらうといった非常に煩雑な処理対応が行なわれていた。このため、非接触ＩＣカードを機内に取り込み、あるいは入金機が内蔵するリーダライタのアンテナ上に非接触ＩＣカードを載せる専用の載置部を設けた入金機が提案されている。
【０００４】
上記した電子マネーの普及に伴い、自動販売機等の無人機にも電子マネーの入金機能を備えたいといったニーズがある。電子マネーによる商品販売が可能な自動販売機では、その前面から突出した、電子マネーを格納した非接触ＩＣカードと通信するためのアンテナ内蔵のかざし面（非接触式カードリーダライタ）を備えた決済端末が取り付けられる（例えば、非特許文献１参照）。
【先行技術文献】
【特許文献】
【０００５】
【非特許文献１】意匠登録第１３７８８３７号公報
【発明の概要】
【発明が解決しようとする課題】
【０００６】
ところで、上記したかざし面は、凹凸の無い平面形状とするのが一般的である。自動販売機が電子マネーの入金機能を備えた場合、利用者は、電子マネーを格納した非接触ＩＣカードを一定期間だけかざし面にかざした状態を維持する必要がある。このため、入金処理中に非接触ＩＣカードがかざし面から外れると、入金した金額がＩＣカードに格納されない入金処理未了状態が多発する恐れがある。
【０００７】
また、利用者は、かざし状態を維持する期間が商品購入時にかざす時間よりも長く感じるため不便さを感じる。すなわち、利用者は、非接触ＩＣカードをかざし面に最初にかざした位置を保つことが必要と考え、かざし面に対する非接触ＩＣカードの位置をずらさないように気をつかう。本来、商品購入時における電子マネーの引き落とし処理にかかる時間と入金時の入金処理にかかる時間は同じであるが、利用者側ではその操作に意識の違いが現れ、入金時には貨幣投入前からかざし、あるいは、音や表示で示される入金完了の合図が終了してもかざした状態を継続することがある。この問題を解決するために、かざし面の下側にリブ形状のカード載置部を設けることが考えられる。
【０００８】
しかしながらこの場合、非接触ＩＣカードは、カード載置部に置かれただけの状態であるため、利用者が非接触ＩＣカードを手離したときに落下してしまう等、不安定な状態にある。また、カード載置部を設けることは、かざし面の下部が自動販売機前部から突出することになるため意匠上の問題の他に、カード載置部に塵埃が積もり、あるいは雨水等が溜まることによって非接触ＩＣカードを汚し、或いは傷つけたりすることがある。
【０００９】
本発明は上記した課題を解決するためになされたものであり、カード載置部を設けることなくかざし面の平面性を保ち、このかざし面に対して非接触ＩＣカード等記憶媒体のかざし位置がずれないようにかざし状態を維持して良好な非接触通信を可能にする、電子マネー決済システムおよび決済端末ならびに記憶媒体を提供することを目的とする。
【課題を解決するための手段】
【００１０】
上記した課題を解決するために本発明は、電子マネーを格納し、表面もしくは内部に磁性体が付与された記憶媒体と、この記憶媒体に格納された電子マネーを使用し、通信により電子決済を行う決済端末と、からなる電子マネー決済システムであって、前記決済端末は、前記通信を行うにあたり前記記憶媒体がかざされる平面状のかざし面を備え、前記かざし面は、前記記憶媒体と前記通信を行うのに必要な磁界とは別の磁界を発する磁界発生部を有し、前記磁界発生部は、前記記憶媒体が前記かざし面にかざされると、前記別の磁界により前記磁性体を引きつけ、前記記憶媒体を前記かざし面に密着させることを特徴とする。
【００１１】
本発明によれば、決済端末により、記憶媒体がかざし面にかざされると、磁界発生部により発せられる磁界により、記憶媒体に付与された磁性体を引きつけて記憶媒体をかざし面に密着させ、固定することができる。このため、カード載置部を設けることなくかざし面の平面性を保ち、このかざし面に対して記憶媒体のかざし位置がずれないようにかざし状態を維持して良好な非接触通信を可能にした電子マネー決済システムを提供することができる。
【００１２】
本発明において、前記磁界発生部は、電磁石で構成されることを特徴とする。本発明によれば、電磁石で構成された磁界発生部により発せられる磁界により、記憶媒体に付与された磁性体を引きつけて記憶媒体をかざし面に密着させ、固定することができる。また、磁界発生部を電磁石で構成することで、磁界発生および磁界遮断のタイミングを制御することができ、例えば、記憶媒体がかざし面にかざされたことを契機に磁界を発生させ、外されたときに磁界を遮断することにより記憶媒体の落下を防ぐことができる。
【００１３】
本発明において、前記磁界発生部は、前記かざし面が前記記憶媒体を検出してから入金処理が完了するまでの間、前記別の磁界を発生することを特徴とする。本発明によれば、磁界発生部の磁界発生および消去を制御することで通信に必要な磁界（電磁波）への干渉を低減することができる。また、また、入金処理終了後、徐々にあるいは一定の強度まで磁力を弱める等の柔軟な制御が可能であり、このことにより利用者に利便性を提供することができる。
【００１４】
本発明において、前記磁界発生部は、永久磁石で構成されることを特徴とする。本発明によれば、永久磁石で構成される磁界発生部により発せられる磁界により、記憶媒体に付与された磁性体を引きつけて記憶媒体をかざし面に密着させ、固定することができる。
【００１５】
本発明において、前記磁性体は、前記記憶媒体の表面に貼付可能なシート状の磁性材料で形成されることを特徴とする。本発明によれば、既成の記憶媒体に簡単な実装形態で磁性体を付与することができる。
【００１６】
上記した課題を解決するために本発明は、電子マネーを格納し、表面もしくは内部に磁性体が付与された記憶媒体と通信を行う決済端末であって、前記通信を行うにあたり、前記記憶媒体がかざされる平面状のかざし面を備え、前記かざし面には、前記非接触ＩＣカードと前記通信を行うのに必要な磁界とは別の磁界を発生する磁界発生部を備え、前記非接触ＩＣカードが前記かざし面にかざされると、前記別の磁界により前記磁性体を引きつけ、前記非接触ＩＣカードを前記かざし面に密着させることを特徴とする。
【００１７】
本発明によれば、記憶媒体がかざし面にかざされると、決済端末の磁界発生部により発せられる磁界により、記憶媒体に付与された磁性体を引きつけて記憶媒体をかざし面に密着させ、固定することができる。このため、カード載置部を設けることなくかざし面の平面性を保ち、このかざし面に対して記憶媒体のかざし位置がずれないようにかざし状態を維持して良好な非接触通信を可能にした決済端末を提供することができる。
【００１８】
本発明において、前記磁界発生部は、前記かざし面の略中央に位置するかざしマークの近傍に設けられることを特徴とする。本発明によれば、記憶媒体のかざし位置を特定できるため利用者に利便性を提供することが出来る。
【００１９】
本発明において、前記磁界発生部は、前記かざし面の略中央に位置するかざしマークを中心に等距離にある周辺近傍に複数設けられることを特徴とする。本発明によれば、かざしマークを中心に、例えば、その周辺近傍の正三角形の位置に３つの磁界発生部を配置することで、通信に必要な磁界（電磁波）との干渉を防ぐことが出来、かつ、かざし面に対し、記憶媒体が、縦、横、あるいは斜め方向に載置された場合でも、記憶媒体のかざし位置がずれないようにかざし状態を維持することができ、その結果、記憶媒体は決済端末との間で良好な非接触通信を可能にすることができる。
【００２０】
上記した課題を解決するために本発明は、電子マネーを記憶し、前記記憶した電子マネーを使用して通信により決済端末との間で電子決済を行う記憶媒体であって、表面もしくは内部に磁性体を有し、前記通信を行うのに必要な磁界とは別の磁界を発生する磁界発生部を平面状のかざし面に備えた前記決済端末にかざされると、前記磁性体が前記別の磁界によって前記かざし面に密着することを特徴とする。
【００２１】
本発明によれば、磁性体が付与された記憶媒体は、決済端末のかざし面にかざされると、決済端末の磁界発生部により発せられる磁界により引きつけられてかざし面に密着する。このため、決済端末側ではカード載置部を設けることなくかざし面の平面性を保ち、このかざし面に対して記憶媒体のかざし位置がずれないようにかざし状態を維持することができ、その結果、記憶媒体は決済端末との間で良好な非接触通信を可能にすることができる。
【発明の効果】
【００２２】
本発明によれば、カード載置部を設けることなくかざし面の平面性を保ち、このかざし面に対して非接触ＩＣカード等記憶媒体のかざし位置がずれないようにかざし状態を維持して良好な非接触通信を可能にする、電子マネー決済システムおよび決済端末ならびに記憶媒体を提供することができる。
【図面の簡単な説明】
【００２３】
【図１】本発明の実施の形態に係る電子マネー決済システムの構成を示すブロック図である。
【図２】本発明の実施形態に係る決済端末と記憶媒体への、磁界発生部および磁性体の実装形態を実施例１として示す図である。
【図３】本発明の実施形態に係る決済端末と記憶媒体への、磁界発生部および磁性体の実装形態を実施例２として示す図である。
【図４】本発明の実施形態に係る決済端末と記憶媒体への、磁界発生部および磁性体の実装形態を実施例３として示す図である。
【図５】本発明の実施形態に係る決済端末と記憶媒体への、磁界発生部および磁性体の実装形態を実施例４として示す図である。
【図６】本発明の実施形態に係る決済端末と記憶媒体への、磁界発生部および磁性体の実装形態を実施例５として示す図である。
【図７】本発明の実施の形態に係る電子マネー決済システムの正常動作時のシーケンス図（１）である。
【図８】本発明の実施の形態に係る電子マネー決済システムの異常動作時のシーケンス図である。
【図９】本発明の実施の形態に係る電子マネー決済システムの正常動作時のシーケンス図（２）である。
【図１０】本発明の実施の形態に係る決済端末の動作を示すフローチャートである。
【発明を実施するための形態】
【００２４】
以下、添付図面を参照して本発明を実施するための実施の形態（以下、単に本実施形態という）について詳細に説明する。
【００２５】
（実施形態の構成）
まず、図１を参照しながら本実施形態に係る電子マネー決済システム１の構成について説明する。図１に示されるように、本実施形態に係る電子マネー決済システム１は、記憶媒体である非接触ＩＣカード１０と、決済端末２０と、電子マネーの運用事業者により管理運営される管理サーバ３０と、により構成される。決済端末２０は、自動販売機等の上位機器５０と非接触ＩＣカード１０とをインタフェースして、公知のＬＡＮ（Local Area Network）、インターネット、あるいは電話回線等の通信回線４０経由で管理サーバ３０に接続されている。
【００２６】
非接触ＩＣカード１０は、固有の識別情報（ＩＤ）と電子マネー残高の他に、入金処理の履歴が記憶される記憶媒体であり、通信部１１と、制御部１２と、記憶部１３と、磁性体１４とを含み構成される。
【００２７】
通信部１１は、後述する決済端末２０のリーダライタ部２３と近距離通信を行なうことにより入出金処理の履歴を含むデータの入出力を行ない、このデータは、制御部１２へ出力される。制御部１２は、非接触ＩＣカード１０の制御全般を司り、決済端末２０との間で通信を行い、記憶部１３の内容の読み出しや書込みを行う。また、決済端末２０から出力される指令（コマンド）にしたがい、後述する非接触ＩＣカード１０の入出金処理による記憶部１３への電子マネーの入出金や入出金履歴の更新等を行う。
【００２８】
制御部１２は、例えば、ＣＰＵ（Central Processing Unit）で構成され、非接触ＩＣカード１０と決済端末２０が相互に通信相手であることを確認しあう認証も行なう。具体的に、非接触ＩＣカード１０は、決済端末２０から、認証指令とともに決済端末２０の自己の正当性を示す情報（暗号化されたＩＤ情報等）を受けとることにより認証を行う。非接触ＩＣカード１０は認証を行うと、決済端末２０に非接触ＩＣカード１０の正当性を示す情報を送り、これを受けて決済端末２０は、非接触ＩＣカード１０を認証する。非接触ＩＣカード１０は、決済端末２０で認証が成立しないと、決済端末２０からの指令に基づく入出金や決済処理を受け付けない。決済端末２０も同様に、認証が成立しない非接触ＩＣカード１０からの決済を受け付けない。
【００２９】
なお、記憶部１３には、電子マネー残高を示す金額情報１３ａ、非接触ＩＣカード１０固有のＩＤ（識別情報）１３ｂの他に、入出金履歴１３ｃが記憶される。
【００３０】
決済端末２０は、端末本体２０ａと、利用者により非接触ＩＣカード１０がかざされるかざし面を有するフロントパネル部２０ｂとから構成される。端末本体２０ａは、制御部２１と、記憶部２２と、リーダライタ部２３と、通信部２４とを含み、フロントパネル部２０ｂは、操作部２５、表示部２６、磁界発生部２７、アンテナ部２８を含み構成されている。なお、かざし面についは後述する。
【００３１】
制御部２１は、上位機器５０が有する制御部５００から処理指示を受信することにより、非接触ＩＣカード１０のかざし待ちを行い、利用者により非接触ＩＣカード１０がフロントパネル部２９ｂのかざし面にかざされることで入出金処理を実行し、上位機器５０にその旨の処理応答を行う。なお、ここでいう入出金処理とは、商品購入時に、非接触ＩＣカード１０の記憶部１３に書き込まれている金額情報１３ａから相当額の電子マネーを引き落とし、入金時に、入金された貨幣相当金額を電子マネー残高に充当するために記憶部１３の金額情報１３ａを更新する処理をいう。このとき、自身が持つ記憶部２２の電子マネー残高情報も更新して同期をとるための処理も行なう。
【００３２】
記憶部２２には、入出金処理履歴が所定の領域に割り当てられ記憶される。記憶部２２として、例えば、不揮発性の記憶デバイス（不揮発性半導体メモリ、ハードディスク等）やランダムアクセス可能な記憶デバイス（例えばＳＲＡＭ、ＤＲＡＭ）等が実装される。
【００３３】
リーダライタ部２３は、利用者によりかざし面のアンテナ部２８上に非接触ＩＣカード１０がかざされることにより、非接触ＩＣカード１０との間で電子マネーを交換するための近距離無線通信を行う。リーダライタ部２３は、アンテナ部２８経由でキャリアを送信しており、電磁誘導によって非接触ＩＣカード１０に電力を供給する。このようにして電力を得た非接触ＩＣカード１０とリーダライタ部２３との間で、キャリアを変復調することによって通信を可能にしている。通信部２４は、通信回線４０を通じて外部の管理サーバ３０との間で所定のプロトコルにしたがう通信を行なう。
【００３４】
なお、管理サーバ３０は、電子マネーの流通状態を管理するサーバであって、複数の決済端末２０と通信回線４０で接続されており、接続される複数の決済端末２０を統括して管理している。この管理サーバ３０は、各決済端末２０から電子マネーの入金処理に係る情報を収集して入金したＩＣカード情報や入金金額等の管理を行う。
【００３５】
操作部２５は、利用者からの入出金の指示を受け付ける押釦を含み、この押釦が利用者により押下された場合に、その内容に対応する信号を発生し、これを利用者の指示として制御部２１に出力する。表示部２６は、多数の画素（複数色の発光素子の組み合わせ）を縦横に配して構成される、例えばＬＣＤ（Liquid Crystal Display Device）デバイスを用いて構成され、ここに表示されるデータは、例えば入金金額等である。表示部２６は、更に、商品を購入する際に点灯または点滅して利用者を非接触ＩＣカード１０のかざし面に誘導するＬＥＤ（Light Emitted Diode）も含む。
【００３６】
磁界発生部２７は、アンテナ部２８を介して発せられる非接触ＩＣカード１０と通信を行うのに必要な磁界とは別の磁界を発生する、例えば、電磁石や永久磁石で構成され、この磁界発生部２７は、磁界を発生することで非接触ＩＣカード１０に貼付された磁性体１４を引きつけ、非接触ＩＣカード１０をかざし面２００に密着させ、固定する。以下に、決済端末２０における磁界発生部２７の実装形態と、非接触ＩＣカード１０が有する磁性体１４の実装形態について５つの実施例を示し、そのそれぞれについて図２〜図６を参照して詳細に説明する。
【００３７】
実施例１．
図２に示されるように、決済端末２０のフロントパネル部２０ｂには、３個の凹部２５ａ、２５ｂ、２５ｃが左右方向に並んで設けられており、この３個の凹部５ａ、２５ｂ、２５ｃ内に、図１に示す操作部２５として示す押釦がそれぞれ設けられている。そして、この３個の押釦の設定は自由に変更可能であり、例えば、１個の押釦で複数の電子マネーから１種類を選択するように設定し、あるいは３個の押釦のそれぞれに１つの電子マネーを割り当て、電子マネーの種類を直接選択するように設定した、ポイント追加等のサービスを選択する釦および決定する釦に設定することができる。
【００３８】
また、凹部２５ａ、２５ｂ、２５ｃ内の押釦の上方のスペースには、各押釦の機能を説明するシールを貼り付けることが可能であり、凹部内にシールを貼り付けることによりシールを剥がされ難くすることができる。さらに、凹部の深さは、押釦が凹部５ａ、２５ｂ、２５ｃから外側に出ない寸法に設定されている。これにより、使用者が非接触ＩＣカード１０や携帯機器を、フロントパネル部２０ｂの略中央下に配置されるかざし面２００に密着させた際に、押釦を不用意に押してしまうのを防止することができる。
【００３９】
また、上記した３個の凹部の上方にＬＣＤ２６ａが設けられており、このＬＣＤ２６ａには、操作案内や選択中の電子マネーの名称や使用者が所有する電子マネーの残高等の様々な情報が表示される。また、かざし面２００の周辺に４個のＬＥＤ２６ｂ〜２６ｅが略放射状に設けられており、この４個のＬＥＤ２６ａ〜２６ｅは、商品を購入する際に点灯又は点滅し、使用者を非接触ＩＣカード１０のかざし面２００に誘導する。また、かざし面２００の右下には状態表示ランプ２６ｆが設けられており、この状態表示ランプ２６ｆは、発光する色の種類を変えてこれらを点灯又は点滅することで、使用者や管理者に対して稼動状態を知らせる。上記したＬＣＤ２６ａ、ＬＥＤ２６ｂ〜２６ｅ、および状態表示ランプ２６ｆは、図１に共に表示部２６として示されている。
【００４０】
かざし面２００には、その表面もしくは内部に、リーダライタ部２３およびアンテナ部２８を介して非接触ＩＣカード１０の通信部１１と通信を行うのに必要な磁界（電磁気）とは別の磁界を発する、磁界発生部２７として永久磁石２７ａ，２７ｂを実装している。この永久磁石２７ａ，２７ｂは、アンテナ部２８を挟んで配置され、ここで発生する磁界により、非接触ＩＣカード１０を引きつけ、非接触ＩＣカード１０をかざし面２００に密着させ、固定する。このため、非接触ＩＣカード１０には、利用者によりかざし面２００にかざされたとき、かざし面２００の表面もしくは内部に実装された永久磁石２７ａ，２７ｂのそれぞれに対向する位置に磁性体シート１４ａ，１４ｂが貼付されている。
【００４１】
実施例２．
次に説明する実施例２において、実施例１との差異は、かざし面２００の表面もしくは内部に実装される磁界発生部２７が永久磁石に代わって電磁石で構成されたことにある。他の構成は実施例１と同様である。図３に示されるように、電磁石（フェライトコア２７ｃ，２７ｄ）は、図２に示す永久磁石２７ａ，２７ｂと同様、アンテナ部２８を挟んで配置され、ここで発生される磁界により、非接触ＩＣカード１０を引きつけ、非接触ＩＣカード１０をかざし面２００に密着させることにより入出金処理が終了するまでの間固定する。このため、非接触ＩＣカード１０には、利用者によりかざし面２００にかざされたとき、かざし面２００に実装されたフェライトコア２７ｃ，２７ｄのそれぞれに対向する位置に磁性体シート１４ａ，１４ｂが貼付されている。
【００４２】
なお、磁界発生部２７として電磁石を用いることで、端末本体２０ａの制御部２１は、磁界発生および磁界遮断のタイミングを制御することができ、後述するように、例えば、非接触ＩＣカード１０がかざし面２００にかざされたことを契機に磁界を発生させ、外されたときに磁界を遮断して非接触ＩＣカード１０の入出金処理中の落下を防ぎ、また、入出金処理終了後、徐々にあるいは一定の強度まで磁力を弱める等の柔軟な制御により利用者に利便性を提供できる。
【００４３】
実施例３．
次に説明する実施例３において、実施例２との差異は、図４に示されるように、磁界発生部２７として実装される電磁石（フェライトコア２７ｅ）を、かざし面２００の略中央に位置するアンテナ部２８が実装された位置と重複する位置（アンテナ部２８の上）に１個のみ実装したことにある。このため、非接触ＩＣカード１０についても、当該非接触ＩＣカード１０をかざし面２００にかざしたときに対向する位置に１個のみの磁性体シート１４ｃが貼付される。なお、出願人の評価によれば、アンテナ部２８の上にフェライトコア２７ｅを実装しても、リーダライタ部２３からアンテナ部２８を介して発せられる電磁波による通信に影響のないことが確認された。
【００４４】
実施例４．
次に説明する実施例４において、実施例３との差異は、図５に示されるように、磁界発生部２７として、かざし面２００の略中央に位置するかざしマークを中心に等距離にある周辺近傍に複数設けたことにある。ここでは、アンテナ部２８が実装されるかざしマーク位置を中心に、その周辺近傍の正三角形の位置に３つのフェライトコア２７ｆ，２７ｇ．２７ｈを配置した。このため、非接触ＩＣカード１０には、この非接触ＩＣカード１０をかざし面２００にかざしたときに、フライトコア２７ｆ，２７ｇ．２７ｈの実装位置に対向する位置に配置されるようにループ形状の磁性体シート１４ｄを貼付した。
【００４５】
なお、磁性体シート１４ｄをループ形状にした場合、リーダライタ部２３からアンテナ部２８を介して発せられる電磁波によって渦電流が発生し、電磁波を遮って通信に悪影響を及ぼすため任意の位置に切り込みを入れた磁性体シート１４ｄとした。このように構成することで、通信に必要な磁界（電磁波）との干渉を防ぐことが出来、かつ、かざし面２００に対して非接触ＩＣカード１０が、縦、横、あるいは斜め方向にかざされた場合でも、非接触ＩＣカード１０のかざし位置がずれないようにかざし状態を維持することができ、その結果、非接触ＩＣカード１０と決済端末２０との間で良好な非接触通信を行うことができる。
【００４６】
実施例５．
次に説明する実施例５において、実施例３との差異は、図６に示されるように、磁界発生部２７として実装される電磁石（フェライトコア２７ｉ）を、かざし面２００の略中央に位置するアンテナ部２８が実装された位置から縦または横の任意の方向に所定の間隔をおいて１個のみ実装したことにある。このため、非接触ＩＣカード１０についても、当該非接触ＩＣカード１０をかざし面２００にかざしたときに対向する位置に１個のみの磁性体シート１４ｅが貼付される。なお、フェライトコア２７ｉの実装位置は、図６に示すようにアンテナ部２８の左方向に制限されず、左右上下のいずれでも構わない。出願人の評価によれば、アンテナ部２８の近傍にかざし面２００をはみ出ない範囲で所定の間隔をおいてフェライトコア２７ｉを実装しても、リーダライタ部２３からアンテナ部２８を介して発せられる電磁波による通信に影響のないことが確認された。
【００４７】
（実施形態の動作）
以下、図７〜図９のシーケンス図を参照しながら、本実施形態に係る電子マネー決済システム１の動作について詳細に説明する。図７〜図９では、いずれも、上位機器５０、決済装置２０（かざし面２００）、非接触ＩＣカード１０間の情報の流れが示されている。ここでは、決済端末２０のフロントパネル部２０ｂのかざし面２００には、磁界発生部２７として、実施例２，３，４，５に示されるように電磁石が実装されているものとして説明する。
【００４８】
まず、図７のシーケンス図を参照しながら正常動作時の動作シーケンス（１）から説明する。図７では、上位機器５０は、まず、制御部５００が決済端末２０に対して処理指示を発行する（ステップＳ１０１）。処理指示を受けた決済端末２０は、非接触ＩＣカード１０のかざし待ちを行なう待機モードに入り（ステップＳ１０２）、ＬＥＤ（表示部２６）に対して発光命令を出力する（ステップＳ１０３）。これにより、例えば、ＬＥＤ２７ｂ〜２７ｅを点滅させることで、利用者による非接触ＩＣカード１０のかざし面２００へのかざし操作を誘導し、また、ＬＥＤ２７ｆを、例えば緑色に点灯させることで利用者に非接触ＩＣカード１０のかざし待ちを行っている処理状態を通知することができる。
【００４９】
ここで、利用者により非接触ＩＣカード１０がフロントパネル部２０ｂのかざし面２００にかざされると、決済端末２０は、リーダライタ部２３／アンテナ部２８を介し、通信により非接触ＩＣカード１０に検出命令を発行する（ステップＳ１０４）。これを受け、非接触ＩＣカード１０は、決済端末２０に対し、自身のＩＤ、および金額情報等の検出応答を行う（ステップＳ１０５）。
【００５０】
続いて、検出応答を受信した決済端末２０は、かざし面２００に実装された電磁石（磁界発生部２７）に対して通電命令を発行する（ステップＳ１０６）。これを受けて電磁石は、アンテナ部２８を介して放射される電磁波とは別の磁界を発生し（ステップＳ１０７）、非接触ＩＣカード１０の磁性体シート１４ａ，１４ｂ（１４ｃ，１４ｄ，１４ｅ）を引きつけ、非接触ＩＣカード１０をかざし面２００に密着させて固定する。このとき、決済端末２０は、ＬＥＤ（表示部２６）に対して発光命令を出力し（ステップＳ１０８）、例えば、ＬＥＤ２６ｆを赤色（処理中）に点灯させ、利用者に処理モードに入ったことを通知する。
【００５１】
次に、決済端末２０は、入出金処理を実行すると共に（ステップＳ１０９）。非接触ＩＣカード１０に対し、通信による処理命令を発行して入出金処理を促す（ステップＳ１１０）。非接触ＩＣカード１０は、商品購入時には、記憶部１３に書き込まれている金額情報１３ａから相当額の電子マネーを引き落とし、入金時には、入金された貨幣相当金額を電子マネー残高に充当するために記憶部１３の金額情報１３ａを更新した後、正常終了した旨の処理応答を行う（ステップＳ１１１）。これを受けて決済端末２０は、自身が持つ記憶部２２の電子マネー残高情報も更新して同期をとるための処理を行なう。
【００５２】
正常終了応答を受信した決済端末２０は、ＬＥＤ（表示部２６）に対して発光命令を出力し（ステップＳ１１２）、例えば、ＬＥＤ２６ｆを黄色（処理終了）に点灯させる。続いて、不図示の音声応答装置により音声による出力命令を発行し（ステップＳ１１３）、入金処理が終了した旨の音声応答を行う。そして、上位機器５０の制御部５００に対して処理応答を行う（ステップＳ１１４）。
【００５３】
次に、決済端末２０は、リーダライタ部２３／アンテナ部２８を介し、通信により非接触ＩＣカード１０に対して検出命令を発行する（ステップＳ１１５）。これを受けて非接触ＩＣカード１０は、決済端末２０に対して検出応答を返すが（ステップＳ１１６）、このとき未だ非接触ＩＣカード１０が外されていない場合は不図示の音声応答装置に対して停止命令を発行し（ステップＳ１１７）、音声により、利用者にかざし操作をやめるように非接触ＩＣカード１０をかざし面２００から外すことを促すメッセージを出力する。続いて、ＬＥＤ（表示部２６）に対して消灯命令を出力し（ステップＳ１１８）、これを受け、ＬＥＤ２６ｂ〜２６ｆは消灯する。
【００５４】
続いて、決済端末２０は、非接触ＩＣカード１０に検出命令を発行し（ステップＳ１１９）、アンテナ部２８経由で検出応答を得（ステップＳ１２０）、非接触ＩＣカード１０がかざし面２００から外されたことが検出されると、電磁石（磁界発生部２７）に対して磁界の遮断命令を出力する（ステップＳ１２１）。電磁石は、この遮断命令により磁界発生を停止する。なお、決済端末２０からかざし面２００（ＬＥＤ（表示部２６）、音声、電磁石（磁界発生部２７））に対して出力される命令は並列処理により実行されるため、上記のシーケンスは必須ではなく、前後してもよい。
【００５５】
次に、図８のフローチャートを参照しながら異常時の動作シーケンスについて説明する。ここで、異常時とは、入出金処理実行中に、非接触ＩＣカード１０がかざし面２００から外れることにより、処理が中断し、あるいは入金処理未了状態が発生した場合をいう。以下、図７に示す正常時のシーケンスとの差異に着目して説明を行う。
【００５６】
具体的に、非接触ＩＣカード１０と決済端末２０との間で入金処理実行中に、決済端末２０で非接触ＩＣカード１０が検知されていない旨の処理応答があると（ステップＳ２１１）、決済端末２０は、ＬＥＤ（表示部２６）に処理中断を示す発光命令を出力する（ステップＳ２１２）。続いて、不図示の音声応答装置に処理中断を示す出力命令を発行し（ステップＳ２１３）、例えば、スピーカから「非接触ＩＣカードを再度かざしてください」といったメッセージが出力される。同時に、電磁石（磁界発生部２７）に対して遮断命令を出力し（ステップＳ２１４）、これを受けた電磁石は、磁界発生を停止する。
【００５７】
次に、決済端末２０は、リーダライタ部２３／アンテナ部２８を介し、非接触ＩＣカード１０に対して検出命令を発行するが（ステップＳ２１５）、先のメッセージにしたがい利用者により非接触ＩＣカード１０が再度かざし面２００にかざされると、その検出応答を得（ステップＳ２１６）、電磁石（磁界発生部２７）に対して通電命令を出力する（ステップＳ２１７）。これを受けた電磁石は、アンテナ部２８を介して放射される電磁波とは別の磁界を発生し（ステップＳ２１８）、非接触ＩＣカード１０の磁性体シート１４ａ，１４ｂ（１４ｃ，１４ｄ，１４ｅ）を引きつけ、非接触ＩＣカード１０をかざし面２００に密着させ、固定する。
【００５８】
以降、決済端末２０は、非接触ＩＣカード１０との間で入出金処理を実行し（ステップＳ２２１）、処理終了後、音声により非接触ＩＣカード１０をかざし面２００から外してかざし操作をやめることを促すメッセージを出力し、最後にＬＥＤ（表示部２６）を消灯する（ステップＳ２３１）。なお、図８において、ステップＳ２０１〜Ｓ２１０に至る一連の処理は、図７に示すステップＳ１０１〜Ｓ１０で示すシーケンスと同様であり、また、ステップＳ２２２〜Ｓ２３０に至る一連の処理は、図７に、ステップＳ１１１〜Ｓ１２１で示すシーケンスと同様であるため、共に重複を回避する意味で説明を省略してある。なお、決済端末２０からかざし面２００（ＬＥＤ（表示部２６）、音声、電磁石（磁界発生部２７））に対して出力される命令は並列処理により実行されるため、上記のシーケンスは必須ではなく、前後してもよい。
【００５９】
次に、図９のシーケンス図を参照しながら、正常動作時のシーケンス（２）について説明する。図９に示すシーケンス図は、図７に示す正常動作時のシーケンス（１）に、入出金処理終了後、電磁石（磁界発生部２７）により発せられる磁界を、徐々に、あるいは一定の強度まで磁力を弱める処理を追加することによって利用者に利便性を提供するものである。
【００６０】
ここでは、図７に示す待機モードにおける処理（ステップＳ１０１〜Ｓ１０８）が省略されており、入出金処理以降の動作のみが示されている。図９において、決済端末２０は、入出金処理を実行すると共に（ステップＳ３０１）、非接触ＩＣカード１０に対し、通信により処理命令を発行して入出金処理を促す（ステップＳ３０２）。これを受けて非接触ＩＣカード１０は、正常終了した旨の処理応答を行う（ステップＳ３０３）。正常終了の応答を受信した決済端末２０は、ＬＥＤ（表示部２６）に対して発光命令を出力し（ステップＳ３０４）、ＬＥＤ２６ｆを黄色（処理終了）に点灯させる。続いて、不図示の音声応答装置により音声による出力命令を発行し（ステップＳ３０５）、入金処理が終了した旨の音声応答を行う。
【００６１】
続いて、決済端末２０は、電磁石（磁界発生部２７）に対し、電力低下命令を出力し（ステップＳ３０６）、電磁石は、アンテナ部２８を介して放射される電磁波とは別の磁界を発生するが、このとき電力低下命令にしたがい、磁界を、徐々に、あるいは一定の強度まで弱める（ステップＳ３０７）。このため、非接触ＩＣカード１０の磁性体シート１４ａ，１４ｂ（１４ｃ，１４ｄ，１４ｅ）を引きつけ、非接触ＩＣカード１０をかざし面２００に密着させる力は、徐々に弱まり、あるいは、入出金処理中より弱まる。このことにより、非接触ＩＣカード１０は、入出金処理終了後すぐには離れないため、利用者に利便性を提供することができる。
【００６２】
そして、上位機器５０の制御部５００に対して処理応答を行なう（ステップＳ３０８）。以降の処理（ステップＳ３０９〜Ｓ３１５）は、図７に示す正常時の動作シーケンス（ステップＳ１１５〜Ｓ１２１）と同様であるため、重複を回避する意味で説明を省略する。なお、決済端末２０からかざし面２００（ＬＥＤ（表示部２６）、音声、電磁石（磁界発生部２７））に対して出力される命令は並列処理により実行されるため、上記のシーケンスは必須ではなく、前後してもよい。
【００６３】
次に、図１０のフローチャートを参照しながら本実施形態に係る決済端末２０の動作について詳細に説明する。
【００６４】
図１０において、決済端末２０の制御部２１は、上位機器５０の制御部５００から処理指示を受信すると非接触ＩＣカード１０の検出処理を実行する（ステップＳ４０１）。ここで、非接触ＩＣカード１０からＩＤや金額情報等の処理応答があて非接触ＩＣカード１０がフロントパネル部２０ｂのかざし面２００にかざされたことが検出されると（ステップＳ４０２“ＹＥＳ”）、制御部２１は、更に、非接触ＩＣカード１０に磁性体１４（磁性体シート１４ａ〜１４ｅ）の組み込みの有無、すなわち、磁性体１４が貼付されているか否かを判定する（ステップＳ４０３）。
【００６５】
ここで、磁性体１４（磁性体シート１４ａ〜１４ｅ）が貼付されていることが確認されると（ステップＳ４０３“ＹＥＳ”）、制御部２１は、磁界発生部２７（フェライトコア２７ａ〜２７ｉ）に通電命令を出力する（ステップＳ４０４）。なお、非接触ＩＣカード１０が検出されない場合は（ステップＳ４０２“ＮＯ”）、磁界発生部２７（フェライトコア２７ａ〜２７ｉ）に通電命令が出力されないため、電磁石による磁界の発生はない。続いて、制御部２１は、入金された貨幣相当金額を電子マネー残高に充当するために非接触ＩＣカード１０の記憶部１３の金額情報１３ａを更新し、合わせて自身が持つ記憶部２２の電子マネー残高情報も更新して同期をとる、入出金処理を開始する（ステップＳ４０５）。
【００６６】
続いて、制御部２１は、非接触ＩＣカード１０が検出中か否かを判定し（ステップＳ４０６）、未だ非接触ＩＣカード１０が検出されていれば（ステップＳ４０６“ＹＥＳ”）、入出金処理を終了する（ステップＳ４０７）。そして、非接触ＩＣカード１０がかざし面２００から外されることを待って（ステップＳ４０８“ＹＥＳ”）、磁界発生部２７（フェライトコア２７ａ〜２７ｉ）による磁界発生を遮断する（ステップＳ４０９）
【００６７】
なお、ステップＳ４０６の非接触ＩＣカード検出中判定処理で、非接触ＩＣカード１０が検出されなければ（ステップＳ４０６“ＮＯ”）、制御部２１は、磁界発生部２７（フェライトコア２７ａ〜２７ｉ）に対する通電命令を停止して磁界発生部２７（２７ａ〜２７ｉ）による磁界発生を遮断する（ステップＳ４１０）。このように、非接触ＩＣカード１０がかざし面２００から外されたら電磁石２７（２７ａ〜２７ｉ）による無用な磁界発生を防止して、リーダライタ部２３により発せられる非接触ＩＣカード１０との通信のための電磁波との干渉を回避している。
【００６８】
続いて制御部２１は、非接触ＩＣカード検出処理を実行し（ステップＳ４１１）、非接触ＩＣカード１０が検出されるのを待って（ステップＳ４１２“ＹＥＳ）”、磁界発生部２７（フェライトコア２７ａ〜２７ｉ）に通電命令を出力して通電を行なう。そして、上記した入出金処理を継続して（ステップＳ４１４）、ステップＳ４０６の非接触ＩＣカード検出処理に戻る。なお、制御部２１は、ステップＳ４０７の入金処理後、図９のシーケンス図に示したように、徐々に、または、一定強度まで磁界発生部２７（フェライトコア２７ａ〜２７ｉ）による磁界発生強度を弱める処理を挿入してもよい。
【００６９】
（実施形態の効果）
以上説明のように本実施形態に係る電子マネー決済システム１によれば、決済端末２０により、記憶媒体（非接触ＩＣカード１０）がかざし面２００にかざされると、磁界発生部２７により発せられる磁界により、記憶媒体に付与された磁性体１４を引きつけて記憶媒体（非接触ＩＣカード１０）をかざし面２００に密着させることができる。このため、カード載置部を設けることなくしてかざし面２００の平面性を保ち、このかざし面２００に対して記憶媒体（非接触ＩＣカード１０）のかざし位置がずれないようにかざし状態を維持して良好な非接触通信が可能になる。
【００７０】
また、本実施形態に係る電子マネー決済システム１によれば、磁界発生部２７を永久磁石あるいは電磁石で構成でき、電磁石で構成した場合、磁界発生および磁界遮断のタイミングを制御することができ、例えば、記憶媒体がかざし面にかざされたことを契機に磁界を発生させ、外されたときに磁界を遮断することにより記憶媒体の落下を防ぐことができる。また、かざし面２００が記憶媒体（非接触ＩＣカード１０）を検出してから入金処理が完了するまでの間、電磁石による磁界発生を継続し、この磁界発生および消去を制御することで通信に必要な磁界への干渉を低減することができる。また、入金処理終了後、徐々に、あるいは一定の強度まで磁力を弱める等の柔軟な制御が可能であり、このことにより利用者に利便性を提供することができる。
【００７１】
本実施形態に係る決済端末２０によれば、当該決済端末２０により、記憶媒体（非接触ＩＣカード１０）がかざし面２００にかざされると、磁界発生部２７により発せられる磁界により、記憶媒体（非接触ＩＣカード１０）に付与された磁性体１４を引きつけて記憶媒体（非接触ＩＣカード１０）をかざし面２００に密着させることができる。このため、カード載置部を設けることなくしてかざし面の平面性を保ち、このかざし面に対して記憶媒体のかざし位置がずれないようにかざし状態を維持して良好な非接触通信を可能にした決済端末２０を提供することができる。
【００７２】
また、本実施形態に係る決済端末２０によれば、磁界発生部２７を、かざし面２００の略中央に位置するかざしマークの近傍に設けることで、記憶媒体（非接触ＩＣカード１０）のかざし位置を特定できるため利用者に利便性を提供することが出来る。更に、磁界発生部２７をかざし面２００の略中央に位置するかざしマークを中心に等距離にある周辺近傍に複数設けることで、例えば、その周辺近傍の正三角形の位置に３つの磁界発生部２７を配置することで、通信に必要な磁界（電磁波）との干渉を防ぐことが出来、かつ、かざし面２００に対し、記憶媒体（非接触ＩＣカード１０）が、縦、横、あるいは斜め方向に載置された場合でも、記憶媒体（非接触ＩＣカード１０）のかざし位置がずれないようにかざし状態を維持することができ、その結果、記憶媒体（非接触ＩＣカード１０）との間で良好な非接触通信を可能にすることができる。
【００７３】
本実施形態に係る記憶媒体（非接触ＩＣカード１０）によれば、磁性体１４が付与された記憶媒体（非接触ＩＣカード１０）は、決済端末２０のかざし面２００にかざされると、決済端末２０の磁界発生部２７により発せられる磁界により引きつけられてかざし面２００に密着する。このため、決済端末２０側ではカード載置部を設けることなくしてかざし面の平面性を保ち、このかざし面に対して記憶媒体（非接触ＩＣカード１０）のかざし位置がずれないようにかざし状態を維持することができ、その結果、記憶媒体（非接触ＩＣカード１０）は、決済端末２０との間で良好な非接触通信を可能にすることができる。
【００７４】
なお、本実施形態に係る記憶媒体として、非接触ＩＣカード１０のみ例示して説明したが、非接触ＩＣカード１０に制限されるものでなく、携帯機器に内蔵される近距離無線通信機能付きのメモリチップ、あるいはこの種記憶媒体であればいずれで代替してもよい。また、本実施形態に係る電子クネー決済システム１では、入金処理に特化して説明したが、入金処理に限らず、出金処理は勿論のこと、認証用途等、記憶媒体をかざす必要のある用途全てに適用が可能である。また、認証処理を行うのみならず、記憶媒体をかざしている間は認証が成立したものとし、外されたときに認証を不成立とする認証装置にも適用が可能である。
【００７５】
また、本実施形態に係る決済端末２０に、非接触ＩＣカード１０と共に磁気ストライプや携帯機器をかざしても、磁気ストライプや携帯機器への悪影響はほぼない。本実施形態に係る決済装置２０のかざし面２００に発生する磁力は、非接触ＩＣカード１０が決済装置２０に引き寄せられ保持される程度の磁力であって、非接触ＩＣカード１０が決済装置２０に引き寄せられていることを利用者が感じる程度の磁力で十分であり、また簡単に引き離せる磁力でよい。３００ガウスを下回る程度の磁力で十分ということであれば、低保磁力の磁気ストライプには影響を及ぼさない。さらに、磁力の発生は非接触ＩＣカード１０をかざした場合で、かつ入出金処理時等、限られた場合にのみ限定しているため、磁気ストライプへ与える影響は極めて限定的であると考えられる。
【００７６】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００７７】
１・・電子マネー決済システム、１０・・記憶媒体（非接触ＩＣカード）、１１・・通信部、１２・・制御部（非接触ＩＣカード）、１３・・記憶部、１３ａ・・金額情報、１３ｂ・・識別情報（ＩＤ）、１３ｃ・・入出金履歴、２０・・決済端末、２０ａ・・端末本体、２０ｂ・・フロントパネル部、２１・・制御部（決済端末）、２２・・記憶部、２３・・リーダライタ部、２４・・通信部、２５・・操作部、２６・表示部、２７・・磁界発生部、２８・・アンテナ部、３０・・管理サーバ、４０・・通信回線、５０・・上位機器、２００・・かざし面、５００・・制御部（上位機器）
【図１】
2013077120.tif 000003
【図２】
2013077120.tif 000004
【図３】
2013077120.tif 000005
【図４】
2013077120.tif 000006
【図５】
2013077120.tif 000007
【図６】
2013077120.tif 000008
【図７】
2013077120.tif 000009
【図８】
2013077120.tif 000010
【図９】
2013077120.tif 000011
【図１０】
2013077120.tif 000012